【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
血液検体を測定して当該血液検体中の血球数の分析結果を生成する血球分析装置であって、  前記血液検体を測定することにより測定データを生成する複数の測定ユニットと、  前記複数の測定ユニットのそれぞれに血液検体を搬送する搬送装置と、  前記測定データを解析することによって生成される分析結果を表示する前記複数の測定ユニットに共通の表示装置と、  前記分析結果をホストコンピュータに送信する送信装置とを備える、血球分析装置。
【請求項２】
前記測定データを解析し、前記分析結果を生成する前記複数の測定ユニットに共通の制御装置をさらに備え、  前記制御装置は、前記表示装置および前記送信装置を含む、請求項１に記載の血球分析装置。
【請求項３】
前記制御装置は、前記複数の測定ユニットの動作を制御するように構成されている、請求項２に記載の血球分析装置。
【請求項４】
前記搬送装置は、内部に血液検体を収容しており、且つ密閉蓋によって密閉されたサンプル容器を複数本保持することが可能なラックを搬送するように構成されており、  各測定ユニットは、  搬送されたラックに保持されたサンプル容器を把持してラックから取り出し、振り子状に揺動するハンド部と、  ハンド部によって揺動されたサンプル容器を移動するサンプル容器移動部と、  サンプル容器移動部によって移動されたサンプル容器の密閉蓋を針によって貫通させ、血液検体を吸引する検体吸引部と、をさらに備える、請求項１〜３のいずれか１項に記載の血球分析装置。
【請求項５】
前記ハンド部は、ラックに保持されているサンプル容器を把持したのち上方に移動し、サンプル容器を揺動し、下方に移動することによってサンプル容器移動部にサンプル容器をセットし、把持を開放するように構成されている、請求項４に記載の血球分析装置。
【請求項６】
各測定ユニットは、サンプル容器移動部によって移動されたサンプル容器に貼付されているバーコードを読み取る測定側バーコード読取部をさらに備える、請求項４または５に記載の血球分析装置。
【請求項７】
前記搬送装置によって搬送されているラックにおいてサンプル容器の有無を検知する有無検知センサと、  前記有無検知センサによって検知されたサンプル容器に貼付されているバーコードを読み取る搬送側バーコード読取部と、をさらに備え、  各測定ユニットは、前記搬送側バーコード読取部によって読取が行われたバーコードを前記測定側バーコード読取部によって再び読み取るように構成されている、請求項６に記載の血球分析装置。
【請求項８】
前記搬送装置は、単一の搬送経路を備え、この搬送経路上で、第１の方向と、第１の方向とは逆方向の第２方向とに血液検体を搬送可能に構成されている、請求項１〜７のいずれか１項に記載の分析装置。
【請求項９】
前記搬送装置は、血液検体を収容した複数のサンプル容器を保持したラックを、前記複数の測定ユニットのうちの第１測定ユニットと第２測定ユニットとに交互に搬送することにより、第１及び第２測定ユニットに複数のサンプル容器を振り分けるように構成されている、請求項８に記載の分析装置。
【手続補正２】
【補正対象書類名】明細書
【補正対象項目名】発明の名称
【補正方法】変更
【補正の内容】
【発明の名称】血球分析装置
【手続補正３】
【補正対象書類名】明細書
【補正対象項目名】０００１
【補正方法】変更
【補正の内容】
【０００１】  本発明は、血球分析装置に関し、特に、血液検体を測定して当該血液検体中の血球数の分析結果を生成する血球分析装置に関する。
【手続補正４】
【補正対象書類名】明細書
【補正対象項目名】０００９
【補正方法】変更
【補正の内容】
【０００９】  この発明は、上記のような課題を解決するためになされたものであり、この発明の１つの目的は、分析装置を使用する施設の規模に応じて、柔軟に対応することが可能な血球分析装置を提供することである。
【手続補正５】
【補正対象書類名】明細書
【補正対象項目名】００１０
【補正方法】変更
【補正の内容】
【００１０】  上記目的を達成するために、この発明の第１の局面における血球分析装置は、血液検体を測定して当該血液検体中の血球数の分析結果を生成する血球分析装置であって、前記血液検体を測定することにより測定データを生成する複数の測定ユニットと、前記複数の測定ユニットのそれぞれに血液検体を搬送する搬送装置と、前記測定データを解析することによって生成される分析結果を表示する前記複数の測定ユニットに共通の表示装置と、前記分析結果をホストコンピュータに送信する送信装置とを備える。
【手続補正６】
【補正対象書類名】明細書
【補正対象項目名】００１１
【補正方法】変更
【補正の内容】
【００１１】  この発明の第１の局面による血球分析装置では、上記のように、複数の測定ユニットと、複数の測定ユニットのそれぞれに検体を搬送する搬送装置と、測定データを解析することによって生成される分析結果を表示する複数の測定ユニットに共通の表示装置とを設けることによって、搬送装置や表示装置の数を変えることなく、測定ユニットの数だけを多くしたり、少なくしたりすることができるので、容易に、血球分析装置の処理能力および価格を変えることができる。これにより、規模が大きい施設においては、測定ユニットの数を多くすることによって、容易に、血球分析装置の処理能力を高めることができ、規模が小さい施設においては、測定ユニットの数を少なくすることによって、容易に、血球分析装置の価格を抑えることができるので、血球分析装置を使用する施設の規模に応じて、柔軟に対応することができる。また、同種類の測定ユニットを用いるので、各測定ユニットの部品を共通化することができ、その結果、血球分析装置の開発および設計にかかる期間を短縮することができる。
【手続補正７】
【補正対象書類名】明細書
【補正対象項目名】００１２
【補正方法】変更
【補正の内容】
【００１２】  上記第１の局面による血球分析装置において、好ましくは、測定データを解析し、分析結果を生成する複数の測定ユニットに共通の制御装置をさらに備え、制御装置は、表示装置および送信装置を含む。このように構成すれば、測定ユニットの数を増加した場合にも、１つの制御装置により、分析結果を表示し、ホストコンピュータに分析結果を送信することができる。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】  上記第１の局面による血球分析装置において、好ましくは、搬送装置は、血液検体を収容した複数のサンプル容器を保持したラックを、複数の測定ユニットのうちの第１測定ユニットと第２測定ユニットとに交互に搬送することにより、第１及び第２測定ユニットに複数のサンプル容器を振り分けるように構成されている。このように構成すれば、ラックに収容された複数のサンプル容器を複数の異なる測定ユニットに搬送することができるので、たとえば、ラックに収容された１つのサンプル容器を測定ユニットに搬送した後、測定ユニットに搬送された検体の測定動作が終了するのを待つことなく、ラックに収容された別のサンプル容器を異なる測定ユニットに搬送することができる。これにより、複数の検体を効率よく測定ユニットに搬送することができる。
【手続補正１３】
【補正対象書類名】明細書
【補正対象項目名】００１８
【補正方法】変更
【補正の内容】
【００１８】  上記第１の局面による血球分析装置において、好ましくは、搬送装置は、単一の搬送経路を備え、この搬送経路上で、第１の方向と、第１の方向とは逆方向の第２方向とに血液検体を搬送可能に構成されている。このように構成すれば、搬送経路を複数設ける場合に比べて、搬送装置の大きさを小型化することができるので、分析装置全体を小型化することができる。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】